(57)【要約】  外科用デバイスであって、（ａ）１つ以上の機能素子と、（ｂ）セレクタアセンブリであって、（ｉ）１つ以上の起動ボタン、（ｉｉ）１つ以上の回路基板スイッチ、及び（ｉｉｉ）回路基板スイッチ又は１つ以上の起動ボタンと連通して、回路基板スイッチ又は起動ボタンを少なくとも第１の位置と第２の位置との間で移動させ、結果として、回路基板スイッチ又は起動ボタンが、相互に対して移動可能である、シャトル、を含むセレクタアセンブリと、を備え、１つ以上の機能素子は、回路基板スイッチ又は１つ以上の起動ボタンが第１の位置にあるときに、第１の機能を提供し、１つ以上の機能素子は、回路基板スイッチ又は１つ以上の起動ボタンが第２の位置にあるときに、第２の機能を提供する、外科用デバイス。
2019506206.tif 000002
【特許請求の範囲】
【請求項１】
外科用デバイスであって、
ａ．１つ以上の機能素子と、
ｂ．セレクタアセンブリであって、
ｉ．１つ以上の起動ボタン、
ｉｉ．１つ以上の回路基板スイッチ、及び
ｉｉｉ．前記１つ以上の回路基板スイッチ又は前記１つ以上の起動ボタンと連通して、前記回路基板スイッチ又は前記起動ボタンを少なくとも第１の位置と第２の位置との間で移動させ、結果として、前記回路基板スイッチ又は前記起動ボタンが相互に対して移動可能である、シャトル、を含む、セレクタアセンブリと、を備え、
前記１つ以上の機能素子は、前記１つ以上の回路基板スイッチ又は前記１つ以上の起動ボタンが前記第１の位置にあるときに、第１の機能を提供し、前記１つ以上の機能素子は、前記１つ以上の回路基板スイッチ又は前記１つ以上の起動ボタンが前記第２の位置にあるときに、第２の機能を提供する、外科用デバイス。
【請求項２】
前記外科用デバイスが、前記シャトルを前記第１の位置と前記第２の位置との間で移動させることによって、第１の電気的状態と第２の電気的状態との間で切り替えられることができ、
前記第１の電気的状態において、前記１つ以上の起動ボタンのうちの第１が前記１つ以上の回路基板スイッチのうちの第１と位置合わせされ、結果として、前記１つ以上の機能素子は、前記１つ以上の起動ボタンのうちの前記第１が選択的に作動されたときに、前記第１の機能を提供するように動作可能であり、
前記第２の電気的状態において、前記１つ以上の起動ボタンのうちの前記第１が、前記１つ以上の回路基板スイッチのうちの前記第１と位置合わせされず、結果として、前記１つ以上の機能素子は、前記１つ以上の起動ボタンのうちの前記第１が選択的に起動されたときに、前記第１の機能を提供するように動作可能でない、請求項１に記載の外科用デバイス。
【請求項３】
前記外科用デバイスが、本体を含み、前記シャトルが、前記本体に対して移動し、前記シャトルが、前記回路基板スイッチと連通し、結果として、前記シャトルが移動すると、前記回路基板スイッチが、前記本体に対して移動する、請求項１及び２のいずれかに記載の外科用デバイス。
【請求項４】
前記外科用デバイスが、本体を更に備え、前記シャトルが、前記本体に対して移動し、前記シャトルが、前記１つ以上の起動ボタンと連通し、結果として、前記シャトルが移動すると、前記１つ以上の起動ボタンが、前記本体に対して移動させられる、請求項１〜３のいずれかに記載の外科用デバイス。
【請求項５】
前記１つ以上の機能素子のうちの少なくとも１つが、電極、モータ、又は超音波振動子である、請求項１〜４のいずれかに記載の外科用デバイス。
【請求項６】
前記回路基板スイッチが、前記本体に対して固定されている、請求項１〜５のいずれかに記載の外科用デバイス。
【請求項７】
前記１つ以上の起動ボタンが、前記本体に対して固定されている、請求項１〜６のいずれかに記載の外科用デバイス。
【請求項８】
前記第２の電気的状態において、前記１つ以上の起動ボタンのうちの第２が、前記１つ以上の回路基板スイッチのうちの第２と位置合わせされ、結果として、前記１つ以上の機能素子は、前記１つ以上の起動ボタンのうちの前記第２が選択的に作動されたときに、前記第２の機能を提供するように動作可能であり、前記第１の電気的状態において、前記１つ以上の起動ボタンのうちの前記第２が、前記１つ以上の回路基板スイッチのうちの前記第２と位置合わせされず、結果として、前記１つ以上の機能素子は、前記１つ以上の起動ボタンのうちの前記第２が選択的に作動されたときに、前記第２の機能を提供するように動作可能でない、請求項１〜７のいずれかに記載の外科用デバイス。
【請求項９】
前記外科用デバイスが、前記シャトルを前記第１の位置と前記第２の位置との間で移動させることによって、第１の電気的状態と第２の電気的状態との間で切り替えられることができ、
前記第１の電気的状態において、前記１つ以上の起動ボタンのうちの第１が前記１つ以上の回路基板スイッチのうちの第１と位置合わせされ、結果として、前記１つ以上の機能素子は、前記１つ以上の起動ボタンのうちの前記第１が選択的に作動されたときに、前記第１の機能を提供するように動作可能であり、
前記第２の電気的状態において、前記１つ以上の起動ボタンのうちの前記第１が、前記１つ以上の回路基板スイッチのうちの第２と位置合わせされ、結果として、前記１つ以上の機能素子は、前記１つ以上の起動ボタンのうちの前記第１が選択的に作動されたときに、前記第２の機能を提供するように動作可能である、請求項１〜８のいずれかに記載の外科用デバイス。
【請求項１０】
電気機械デバイスであって、
ａ．１つ以上の電気素子と、
ｂ．１つ以上の起動ボタンと、
ｃ．第１の回路基板スイッチと、
ｄ．第２の回路基板スイッチと、
ｅ．前記第１の回路基板スイッチ、前記第２の回路基板スイッチ、前記１つ以上の起動ボタン、又はこれらの組み合わせと連通するシャトルと、を備え、
前記電気機械デバイスが、第１の電気的状態と第２の電気的状態との間で切り替えられることができ、
前記シャトルが、第１の位置と第２の位置との間で移動し、前記電気外科用デバイスを前記第１の電気的状態と前記第２の電気的状態との間で変換することを補助し、
前記第１の電気的状態において、前記１つ以上の起動ボタンのうちの第１の起動ボタンが、前記第１の回路基板スイッチと位置合わせされ、結果として、前記第１の起動ボタンの作動時に、第１の電気機能が有効化され、
前記第１の電気機能が、前記１つ以上の電気素子を通る第１の治療電流であり、
前記第２の電気的状態において、前記１つ以上の起動ボタンのうちの第２の起動ボタンが、前記第２の回路基板スイッチと位置合わせされ、結果として、前記第２の起動ボタンの作動時に、第２の電気機能が有効化され、
前記電気機械デバイスが、
（Ａ）前記第１の位置において、前記第２の起動ボタンが、前記第２の回路基板スイッチと位置合わせされず、結果として、前記第２の起動ボタンの作動時に、前記第２の電気機能が有効化されないこと、
（Ｂ）前記第２の位置において、前記第１の起動ボタンが、前記第１の回路基板スイッチと位置合わせされず、結果として、前記第１の起動ボタンの作動時に、前記第１の電気機能が前記第１の起動ボタンによって有効化されないこと、並びに
（Ｃ）前記第１の起動ボタン及び前記第２の起動ボタンが、同じボタンであること、のうちの１つ以上を含む、電気機械デバイス。
【請求項１１】
前記１つ以上の電気素子が、電気モータ、電極、又は超音波振動子である第１の電気素子を含む、請求項１０に記載の電気機械デバイス。
【請求項１２】
前記第２の電気機能が、前記第１の電気素子を通る第２の治療電流である、請求項１０又は請求項１１に記載の電気機械デバイス。
【請求項１３】
前記１つ以上の電気素子が、第２の電気素子を含み、前記第２の電気機能が、少なくとも前記第２の電気素子を通る第２の治療電流である、請求項１０〜１２のいずれかに記載の電気機械デバイス。
【請求項１４】
前記シャトルが前記第１の位置にあるときに、前記第１の起動ボタンが、前記第１の回路基板スイッチに位置合わせされ、第１の治療電流を前記第１の電気素子を介して誘導し、かつ前記第２の起動ボタンが、前記１つ以上の電気素子のうちのいずれをも有効化することはなく、前記シャトルが前記第２の位置にあるときに、前記第２の起動ボタンが、前記第２の回路基板スイッチと位置合わせされ、結果として、前記第２の治療電流が前記第２の電気素子に誘導されるが、前記第１のボタンが前記１つ以上の電気素子のうちのいずれをも有効化することがない、請求項１０〜１３のいずれかに記載の電気機械デバイス。
【請求項１５】
電気機械デバイスであって、
ａ．１つ以上の電気素子と、
ｂ．１つ以上の起動ボタンと、
ｃ．１つ以上の回路基板スイッチと、
ｄ．前記１つ以上の回路基板スイッチのうちの少なくとも１つ、前記１つ以上の起動ボタンのうちの少なくとも１つ、又はこれらの両方と連通するシャトルと、を備え、
前記電気機械デバイスが、第１の電気的状態と第２の電気的状態との間で切り替えられることができ、前記第１の電気的状態において、第１の電流は、前記１つ以上の起動ボタンのうちの第１の起動ボタンが作動されたとき、前記１つ以上の電気素子のうちの第１の電気素子に通され、前記第２の電気的状態において、前記第１の電流は、前記第１の起動ボタンが作動されたときに、前記第１の電気素子を通ることがなく、
前記シャトルが、前記電気機械デバイスに沿って第１の位置と第２の位置との間で移動し、前記電気機械デバイスを前記第１の電気的状態と前記第２の電気的状態との間で変換することを補助し、
前記第１の位置にある前記シャトルは、前記第１の起動ボタンが、前記第１の起動ボタンの作動時に前記第１の起動ボタンが前記第１の回路基板スイッチと相互作用するときに、前記１つ以上の回路基板スイッチのうちの第１の回路基板スイッチと位置合わせされるように位置決めされて、前記第１の電気的状態を有効化し、
前記第２の位置にある前記シャトルは、前記第１の起動ボタンが前記第１の回路基板スイッチと位置合わせされないように位置決めされて、前記第１の電気的状態を無効化する、電気機械デバイス。
【請求項１６】
第２の回路基板スイッチを更に備え、結果として、前記シャトルが前記第２の位置にあるときに、前記１つ以上の起動ボタンのうちの１つが、前記第２の回路基板スイッチと位置合わせされて第２の電気的状態を有効化し、前記第２の電気的状態において、前記１つ以上の起動ボタンのうちの１つが作動されたときに、第２の電流が前記１つ以上の電気素子のうちの１つに通される、請求項１５に記載の電気機械デバイス。
【請求項１７】
前記シャトルが前記第１の位置にあるとき、前記第２の回路基板スイッチが、前記１つ以上の起動ボタンと位置合わせされず、前記第２の電気的状態を無効化する、請求項１５及び１６のいずれかに記載の電気機械デバイス。
【請求項１８】
前記電気機械デバイスが、第２の電気素子を含み、前記第２の電気的状態において、前記第２の電流が、前記１つ以上の電気素子のうちの第２のものを通る電流である、請求項１５〜１７のいずれかに記載の電気機械デバイス。
【発明の詳細な説明】
【技術分野】
【０００１】
本教示は、一般に、デバイスに関し、より具体的には、２つ以上の機能状態が有効化されるように、２つ以上の位置の間で再配置可能な回路基板スイッチ及び／又はボタンを含む外科用デバイスに関する。
【背景技術】
【０００２】
典型的には、外科用デバイスは１つの機能素子を有し、したがって、異なる機能が所望される場合、外科医は処置中に、異なる機能を有するデバイスにデバイスを切り替えることになる。しかし、いくつかのデバイスは、第２の機能素子を含み、各機能素子は各個別のボタンを作動させることによって起動される。例えば、外科医が２つのボタンを有するデバイスを選択した場合、１つ目のボタンが単極切断を起動し、２つ目のボタンが双極凝固を起動し、デバイスはこれらの機能しか提供することができない。したがって、双極切断が所望される場合、外科医は、より長い期間にわたる双極凝固若しくは切断のための単極切断のいずれかを使用することがあり、又は外科医は、双極切断を提供するデバイスに切り替えることがある。これによって、手術時間が長くなるか、又は任意の切断を行う回数が少なくなり得る。更に、処置の途中でデバイスを切り替えると、外科医が集中力を失うか、目的の特徴部を失うか、手術時間を延長するか、又はこれらの組み合わせをもたらす可能性がある。
【０００３】
いくつかの電気外科用器具の例が、米国特許第６，１１０，１７１号同第６，１１３，５９６号同第６，１９０，３８６号同第６，３５８，２６８号、及び同第７，２３２，４４０号、並びに米国特許出願公開第２００５／０１１３８２７号、同第２００５／０１８７５１２号、同第２００６／００８４９７３号、同第２０１２／０１２３４０５号、同第２０１４／０２７６７９５号、及び同第２０１４／０２７６７９９号に認められ、これらは全て、あらゆる目的で参照により本明細書に組み込まれている。
【発明の概要】
【発明が解決しようとする課題】
【０００４】
必要とされるのは、複数の異なる電気的状態の間で容易に変換し、機能するデバイスである。単一のボタンで２つ以上の状態と複数の状態との間で切り替えることができるデバイスを有することは魅力的である。デバイスの回路が物理的に位置を変更し、デバイスをボタンに対して電気的に再構成するように、状態を機械的に再構成するデバイスを有することは魅力的である。ボタンは、デバイスの機能的出力を制御する。必要とされるのは、各ボタンが複数の機能を提供することができるように、状態を変更することができるデバイスである。
【課題を解決するための手段】
【０００５】
本教示は、外科用デバイスであって、（ａ）１つ以上の機能素子と、（ｂ）セレクタアセンブリであって、（ｉ）１つ以上の起動ボタン、（ｉｉ）１つ以上の回路基板スイッチ、及び（ｉｉｉ）回路基板又は１つ以上の起動ボタンと連通して、回路基板スイッチ又は起動ボタンを少なくとも第１の位置と第２の位置との間で移動させ、結果として、回路基板スイッチ又は起動ボタンが相互に対して移動可能であるシャトル、を含む、セレクタアセンブリと、を備え、１つ以上の機能素子は、回路基板スイッチ又は１つ以上の起動ボタンが第１の位置にあるときに、第１の機能を提供し、１つ以上の機能素子は、回路基板スイッチ又は１つ以上の起動ボタンが第２の位置にあるときに、第２の機能を提供する、外科用デバイスを提供することによって、これらの必要のうちの１つ以上を満たす。
【０００６】
本教示の別の可能な実施形態は、電気機械デバイスであって、（ａ）１つ以上の電気素子と、（ｂ）１つ以上の起動ボタンと、（ｃ）第１の回路基板スイッチと、（ｄ）第２の回路基板スイッチと、（ｅ）第１の回路基板スイッチ、第２の回路基板スイッチ、１つ以上の起動ボタン、又はこれらの組み合わせと連通するシャトルと、を備え、電気機械デバイスが、第１の電気的状態と第２の電気的状態との間で切り替えられることができ、シャトルが、第１の位置と第２の位置との間で移動し、電気外科用デバイスを第１の電気的状態と第２の電気的状態との間で変換することを補助し、第１の電気的状態において、１つ以上の起動ボタンのうちの第１の起動ボタンが、第１の回路基板スイッチと位置合わせされ、結果として、第１の起動ボタンの作動時に、第１の電気機能が有効化され、第１の電気機能が、１つ以上の電気素子を通る第１の治療電流であり、第２の電気的状態において、１つ以上の起動ボタンのうちの第２の起動ボタンが、第２の回路基板スイッチと位置合わせされ、結果として、第２の起動ボタンの作動時に、第２の電気機能が有効化され、電気機械デバイスが、（Ａ）第１の位置において、第２の起動ボタンが、第２の回路基板スイッチと位置合わせされず、結果として、第２の起動ボタンの作動時に、第２の電気機能が有効化されないこと、（Ｂ）第２の位置において、第１の起動ボタンが、第１の回路基板スイッチと位置合わせされず、結果として、第１の起動ボタンの作動時に、第１の電気機能が第１の起動ボタンによって有効化されないこと、並びに（Ｃ）第１の起動ボタン及び第２の起動ボタンが、同じボタンであること、のうちの１つ以上を含む、電気機械デバイスを含む。
【０００７】
本明細書における教示は、電気機械デバイスであって、（ａ）１つ以上の電気素子と、（ｂ）１つ以上の起動ボタンと、（ｃ）１つ以上の回路基板スイッチと、（ｄ）１つ以上の回路基板スイッチのうちの少なくとも１つ、１つ以上の起動ボタンのうちの少なくとも１つ、又はこれらの両方と連通するシャトルと、を備え、電気機械デバイスが、第１の電気的状態と第２の電気的状態との間で切り替えられることができ、第１の電気的状態において、第１の電流は、１つ以上の起動ボタンのうちの第１の起動ボタンが作動されたとき、１つ以上の電気素子のうちの第１の電気素子に通され、第２の電気的状態において、第１の電流は、第１の起動ボタンが作動されたときに、第１の電気素子を通ることがなく、シャトルが、電気機械デバイスに沿って第１の位置と第２の位置との間で移動し、電気機械デバイスを第１の電気的状態と第２の電気的状態との間で変換することを補助し、第１の位置にあるシャトルは、第１の起動ボタンが、第１の起動ボタンの作動時に第１の起動ボタンが第１の回路基板スイッチと相互作用するときに、１つ以上の回路基板スイッチのうちの第１の回路基板スイッチと位置合わせされるように位置決めされて、第１の電気的状態を有効化し、第２の位置にあるシャトルは、第１の起動ボタンが第１の回路基板スイッチと位置合わせされないように位置決めされて、第１の電気的状態を無効化する、電気機械デバイスを提供する。
【０００８】
本明細書における教示は、デバイスであって、（ａ）起動ボタンと、（ｂ）回路基板と、を備え、起動ボタン及び回路基板は相互に対して移動可能であり、移動は、長手方向であってもよい（例えば、デバイスの長手方向軸の方向に沿って移動してもよい）か、デバイスの構成要素の周りで回転式に移動してもよい（例えば、長手方向軸に対して実質的に垂直な方向においてデバイスの輪郭をたどってもよい）か、横方向に（例えば、デバイスの輪郭をたどらずに左右に）移動してもよいか、又はこれらの組み合わせであってもよい、デバイスを提供する。
【０００９】
本明細書における教示は、１つのボタンで２つ以上のモードと複数のモードとの間で切り替えることができるデバイスを提供する。本明細書における教示は、デバイスの回路がボタンに対して状態を電気的に変更してデバイスの機能的出力を変更するように、状態を機械的に変更するデバイスを提供する。本教示は、各ボタンが複数の機能を提供することができるように、状態を変更するデバイスを提供する。
【図面の簡単な説明】
【００１０】
【図１】第２の状態における外科用デバイスの斜視図である。
【図２】第１の状態における外科用デバイスの斜視図である。
【図３】第１の状態における外科用デバイスの斜視図である。
【図４】第２の状態における外科用デバイスの斜視図である。
【図５】回路基板が起動ボタンに対して移動可能である、第１の位置におけるセレクタアセンブリの斜視図である。
【図６】回路基板が起動ボタンに対して移動可能である、第２の位置におけるセレクタアセンブリの斜視図である。
【図７】起動ボタンが回路基板に対して移動可能である、第１の位置におけるセレクタアセンブリの斜視図である。
【図８】起動ボタンが回路基板に対して移動可能である、第２の位置におけるセレクタアセンブリの斜視図である。
【図９】回路スイッチの斜視図を示す。
【図１０】スイッチの上面図を示す。
【図１１Ａ】非起動位置における、第１又は第２の起動ボタン及び回路基板スイッチの図を示す。
【図１１Ｂ】回路基板スイッチを押し下げる第１又は第２の起動ボタンを示す。
【図１２Ａ】第１の位置における、キーボードとしてのデバイスの斜視図を示す。
【図１２Ｂ】第２の位置における、キーボードとしてのデバイスの斜視図を示す。
【図１３Ａ】第１の位置における、板バネ機構を有するセレクタアセンブリの斜視図を示す。
【図１３Ｂ】第２の位置における、板バネ機構を有するセレクタアセンブリの斜視図を示す。
【図１４】短いスローレバーアセンブリを有するセレクタアセンブリの斜視図を示す。
【図１５】ラックアンドピニオンアセンブリを有するセレクタアセンブリの斜視図を示す。
【発明を実施するための形態】
【００１１】
本明細書に提示する説明及び例証は、本教示、その原理、及びその実用的適用を当業者に知らせることを意図したものである。当業者であれば、実用的使用の要件に最も適するように、本教示をその多数の形態で適合させ適用してもよい。したがって、記述されるような本教示の特定の実施形態は、本教示の網羅又は限定であることを意図しない。したがって、本教示の範囲は、上述の説明を参照して決定されるべきではなく、その代わりに、添付の特許請求の範囲を、かかる特許請求の範囲が権利を与えられる等価物の全範囲と共に参照して決定されるべきである。特許出願及び特許出願公開を含む全ての論文及び参考文献の開示は、あらゆる目的で参照により組み込まれる。以下の特許請求の範囲から見つけられるような他の組み合わせも可能であり、それらもまた参照により本明細書に組み込まれる。
【００１２】
本教示は、２つ以上の状態間で変更可能なデバイスに関する。デバイスは、信号を生成するか、電力を供給するか、又はこれらの両方を行うように機能する任意のデバイスであってもよい。デバイスは第１の状態における第１のセットの信号及び第２の状態における第２のセットの信号を送信してもよい。デバイスは、１つ以上のボタン又は１つ以上のキーを含み、１つ以上のボタン又は１つ以上のキーは、キー又はボタンの位置若しくは状態に応じて、２つ以上の信号を提供してもよい（本明細書で論じるようなボタン及びキーは交換可能に使用される）。キー、ボタン、又はこれらの両方、及び回路基板は、デバイスが異なる機能を提供するように、異なる信号を生成するために相互に対して移動可能であってもよい。１つ以上のボタン、１つ以上のキー、又はこれらの両方は、キーボード、電話機、コンピュータ、外科用デバイス、又はこれらの組み合わせにおいて存在してもよい。好ましくは、本教示は、外科用デバイスのボタンに関する。好ましくは、本教示は、電子式、超音波式、若しくは電動式外科用システム、又はこれらの組み合わせを形成する外科用デバイス及び関連する構成部品に関する。
【００１３】
外科用デバイスは、機械デバイス、電気機械デバイス（例えば、機械的に移動する素子及び電気素子を有するデバイス）、電気外科用デバイス、又はこれらの組み合わせであってもよい。外科用システムは、本明細書で教示するデバイスの１つ以上を含む任意のシステムであってもよい。好ましくは、外科用システムは、少なくとも１つの状態（例えば、構成）を有する少なくとも１つの外科用デバイスを含む。状態は、別の部分に対して移動するデバイスの任意の部分の相対的な配置又は配列であってもよい。例えば、セレクタアセンブリは、ボタンを回路基板に対して又はその逆に移動させ、結果としてデバイスは第１の状態（又は第１の構成）と第２の状態（又は第２の構成）との間で変更する。外科用システムは、本明細書で教示するような１つ以上の本体、１つ以上の接地パッド、１つ以上の発電機、１つ以上の電気外科用デバイス、１つ以上の超音波デバイス、１つ以上の電動デバイス、１つ以上の隣接する本体構成要素、又はこれらの組み合わせ、及び外科用システムに組み込まれる各デバイスの本明細書における教示を含み得る。外科用デバイスは、外科医が外科処置を行うのに使用され得る任意のデバイスであってもよい。外科用デバイスは、２つ以上の構成、２つ以上の状態、又はこれらの両方の間で切り替えられるように機能してもよい。例えば、外科用デバイスは、電気的状態、超音波状態、電動状態、非動力状態、又はこれらの組み合わせの間で切り替えられてもよい。外科用デバイスは、もう片方の手を必要とせず、処置を中断することなく、又はこれらの両方でユーザが状態間で切り替えられるように、片手で２つ以上の状態の間で切り替えられてもよい任意のデバイスであってもよい。外科用デバイスは、両手で使用されるか、状態間で両手で切り替えられるか、又はこれらの両方であってもよい、任意のデバイス及び／又は状態であってもよい。外科用デバイスは、切断、止血、凝固、乾燥、高周波治療、電気焼灼、又はこれらの組み合わせを行うのに使用されてもよい。外科用デバイスは、１つ以上の機能を実行してもよい。好ましくは、外科用デバイスは、複数の機能を実行する。例えば、外科用デバイスは、第１の機能、第２の機能、第３の機能、第４の機能、又はそれ以上の機能を行ってもよい。外科用デバイスは、双極機能、単極機能、非電気外科機能、超音波機能、電動機能（例えば、切断、研磨、挽き、穿孔、若しくはこれらの組合せのための動力による移動）、又はこれらの組み合わせを含む任意のデバイスであってもよい。外科用デバイスは、開放手術で使用されてもよい。外科用デバイスは、非動力外科目的に使用されてもよい。例えば、外科用デバイスは、対象、器官、静脈、皮膚、組織など、又はこれらの組み合わせを把持するのに使用されてもよい、鉗子、ピンセット、又はこれらの両方として使用されてもよい。別の例では、外科用デバイスの１つ以上の部分は、メスと同様に、薄刃を含んでもよく、切断に使用されてもよい。外科用デバイスは、ハンドピースと発電機とを含んでもよい。外科用デバイスは、ハンドピースと発電機との間に延在する１つ以上の治療信号を有してもよい。
【００１４】
外科用デバイスは、本体を有する。本体は、機能素子をユーザインターフェースに接続するように機能してもよい。本体は電力、信号、又はこれらの両方を機能素子に提供してもよい。本体及び１つ以上の機能素子は、１つの一体部品であってもよく、又は機能素子は、本体から取り外し可能であってもよい。本体は、電源を含んでもよく、又は電源に接続されてもよい。デバイスの本体は、デバイスを機能させるために使用される構成要素を収容してもよい。デバイスの本体は、ハンドピースであってもよい。デバイスの本体は、鉗子であってもよい。デバイスの本体は、フレームであってもよい。デバイスの本体は、作業アーム、１つ以上の機能素子、又はこれらの両方を接続してもよい。デバイスの本体は、１つ以上の起動ボタン、少なくとも１つの回路基板、シャトル、機能素子、セレクタアセンブリ、若しくはこれらの組み合わせを含むか、又はこれらに接続されてもよい。
【００１５】
セレクタアセンブリは、ユーザに外科用デバイスの複数の機能の間での変更を可能にする。セレクタアセンブリは、１つ以上の起動ボタンの各々に対する複数の機能の間で変更するように機能してもよい。セレクタアセンブリは、１つ以上の起動ボタン、回路基板、又はこれらの両方を移動させることによって、１つ以上の起動ボタンの機能を変更する。セレクタアセンブリは、１つ以上の起動ボタンの各々が２つ以上の機能を提供するように、２つ以上の位置の間で変更可能である。例えば、外科用デバイスは、起動ボタンがデバイス上に存在する（例えば、１つのボタンが２つ以上、３つ以上、４つ以上、又は更には５つ以上の機能を起動してもよい）より多くの機能を行うか又は提供してもよい。セレクタアセンブリは、外科用デバイスに沿って長手方向に移動してもよい（例えば、デバイス（例えば、鉗子、電動デバイス、超音波デバイス）の長手方向軸の方向に沿って移動してもよい）か、外科用デバイスの構成要素の周りで回転式に移動してもよい（例えば、セレクタアセンブリは、長手方向軸に対して実質的に垂直な方向において外科用デバイスの輪郭をたどってもよい）か、セレクタアセンブリは、横方向に（例えば、デバイスの輪郭をたどらずに左右に）移動してもよいか、又はこれらの組み合わせで移動してもよい。本明細書で論じるような長手方向軸は、最も長い長さを有する寸法である。セレクタアセンブリは、１つ以上のチャネルに沿って、又はその中を移動してもよい。セレクタアセンブリは、摺動動作、板バネ機構、短いスローレバーアセンブリ、ラックアンドピニオンアセンブリ、又はこれらの組み合わせによって移動可能であってもよい。セレクタアセンブリは、外科用デバイスの表面上に位置する部分と、外科用デバイス内に延在する部分とを含んでもよい。セレクタアセンブリは、位置変更ボタンを介して位置を変更してもよい。位置変更ボタンは、押し下げられると、セレクタアセンブリが位置間で移動することを可能にし得る、機構又はアセンブリと連通していてもよい。セレクタアセンブリは、本体上にあるか、本体に取り外し可能に取り付けられるか、本体に沿って移動可能であるか、又はこれらの組み合わせであってもよい。セレクタアセンブリは、シャトル、１つ以上の起動ボタン、回路基板、位置変更ボタン、板バネ機構、短いスローレバーアセンブリ、ラックアンドピニオンアセンブリ、又はこれらの組み合わせを含んでもよい。
【００１６】
デバイス（例えば、外科用デバイス）は、移動可能シャトルを含む。シャトルは、外科用デバイスの本体に対して移動可能であってもよい。シャトルは、デバイスを複数の状態（例えば、電気的状態）間で移動させてもよい。例えば、デバイスは、第１の状態から第２の状態に移動させられてもよい。デバイスは、第１の状態、第２の状態、第３の状態、第４の状態、又はそれ以上の状態の間で移動させられてもよい。シャトルは、デバイスの線又は軸に沿って、デバイスの表面に沿って、移動するか、デバイス上のレバーとして枢動するか、デバイス上のノブとして回転するか、又はこれらの組み合わせで移動してもよい。シャトルは、シャトルがデバイスに沿って移動すると、位置（例えば、第１、第２、第３又は第４の位置）間で移動してもよい。シャトルは、外科用デバイスに沿って長手方向に移動してもよい（例えば、デバイスの長手方向軸の方向に移動してもよい）か、外科用デバイスの構成要素の周りで回転式に移動してもよい（例えば、長手方向軸に対して実質的に垂直な方向において外科用デバイスの輪郭をたどってもよい）か、シャトルは、横方向に（例えば、デバイスの輪郭をたどらずに左右に）移動してもよいか、又はこれらの組み合わせで移動してもよい。シャトルは、外科用デバイスの長手方向軸に沿って移動してもよい。シャトルは、長手方向軸に実質的に垂直な方向（すなわち横方向）において移動してもよい。シャトルは、長手方向軸に実質的に平行な回転軸の周りで（すなわち、回転式に）移動してもよい。シャトルは、シャトルを移動させるのを補助する、板バネ機構、短いスローレバーアセンブリ、又はラックアンドピニオンアセンブリのうちの１つ以上を含んでもよい。シャトルは、１つ以上の起動ボタン、１つ以上の回路基板、又はこれらの両方と連通してもよい。シャトルが１つ以上の起動ボタンと連通しているとき、１つ以上の回路基板は、本体に対して固定されている。シャトルが１つ以上の回路基板と連通しているとき、１つ以上の起動ボタンは、外科用デバイスの本体に対して固定されている。シャトルが１つ以上の回路基板又は１つ以上の起動ボタンのいずれかと連通しているとき、１つ以上の起動ボタン及び１つ以上の回路基板は相互に対して移動してもよい。シャトルは、２つ以上の位置（例えば、少なくとも第１の位置及び第２の位置）を有してもよい。シャトルは、複数の位置を有してもよい。シャトルは、第１の位置、第２の位置、第３の位置、第４の位置、又はそれ以上を有してもよい。本明細書で論じる１つ以上の位置にあるシャトルは、本明細書における１つ以上の状態を無効化してもよい。第１の位置にあるシャトルは、第２の電気的状態を無効化してもよく、第２の位置において、第１の電気的状態及び／又は第３の電気的状態を無効化してもよく、又はこれらの組み合わせを無効化してもよい。例えば、第２の位置にあるシャトルは、第１の電気的状態が無効化されるように位置決めされてもよい。シャトルは、シャトルの位置決めに基づいて、外科用デバイスを状態間で変換することを補助する。例えば、第１の位置にあるシャトルは、外科用デバイスを第１の状態にし、シャトルが第２の位置に移動させられたとき、外科用デバイスは第２の状態に変換されることになる。第１の位置にあるシャトルは、１つ以上の起動ボタンを１つ以上の回路基板スイッチ、第２の回路基板上の１つ以上の回路基板スイッチ、又はこれらの両方と位置合わせしてもよい。第１の位置にあるシャトルは、１つ以上の起動ボタンを第１の回路基板スイッチに位置合わせせず、起動ボタンを第２の回路基板スイッチに位置合わせし、その逆も又同様であってもよい。本明細書で論じるような位置合わせは、ボタンがスイッチと接触するように移動することができるように、ボタンが位置しているときであり、好ましくは、ボタンが移動するとスイッチが起動されるように、ボタンがスイッチに対して直線的かつ実質的に垂直に移動することができるときである。本明細書で論じるような位置合わせしないことは、ボタンが、起動されたときにスイッチに接触せず、そのスイッチの起動を引き起こす場所である。第２の位置にあるシャトルは、１つ以上の起動ボタンを１つ以上の回路基板スイッチ、１つ以上の第２の回路基板スイッチ、又はこれらの両方と位置合わせしてもよい。１つ以上の起動ボタンが１つ以上の回路基板スイッチと位置合わせするか又は位置合わせしないように、シャトルは、２つ以上の位置に配置されてもよい。
【００１７】
位置変更ボタンは、デバイスを２つ以上の位置間で変換するように機能してもよい。位置変更ボタンは、デバイスを位置間（例えば、第１の位置から第２の位置）で変換する機構又はアセンブリと連通してもよい。位置変更ボタンは、作動されると、機械的ポテンシャルエネルギーを方向運動に変換することによって、シャトル、回路基板、起動ボタン、又はこれらの組み合わせを移動させることによって、機構又はアセンブリに係合してセレクタアセンブリをある位置から別の位置に移動してもよい。位置変更ボタンは、デバイスの外部に位置する。位置変更ボタンは、アクチュエータを含んでもよい。位置変更ボタンは、板バネ機構、短いスローレバーアセンブリ、ラックアンドピニオンアセンブリ、又はこれらの組み合わせに作用してもよい。
【００１８】
板バネ機構は、デバイスを状態（例えば、第１の状態と第２の状態）の間で変換してもよい。板バネ機構は、位置変更ボタン、トラック付きアクチュエータブロック、プランジャ、板バネ又はこれらの組み合わせを含んでもよい。アクチュエータブロックは、回路基板、シャトル、起動ボタン、又はこれらの組み合わせに取り付けてもよい。アクチュエータブロックは、トラックを有してもよい。アクチュエータブロックのトラックは、ハンドピースの内部、外部、又はこれらの両方にあってもよい。アクチュエータブロックのトラックは、少なくとも１つの位置を有していてもよい。位置変更ボタンは、板バネ機構を位置間で変換するために使用されてもよい。位置変更ボタンは、プランジャを含んでもよい。プランジャは、アクチュエータブロックのトラックに嵌合してもよい。位置変更ボタンが作動されると、位置変更ボタンのプランジャは、アクチュエータブロックの２つ以上の位置の間を移動してもよい。位置変更ボタンのプランジャが移動すると、アクチュエータブロックは、板バネがシャトルに接続されたアクチュエータブロック、起動ボタン、回路基板、又はこれらの組み合わせを押すことができるように位置を変更してもよい。板バネの伸張力は、デバイスを別の位置に移動させる方向運動に変換されてもよい。アクチュエータブロックがある位置から別の位置に移動させられたとき、回路基板、シャトル、１つ以上の起動ボタン、又はこれらの組み合わせは、板バネに貯蔵された電位エネルギーを方向運動に変換することによって、相互に対して移動させられてもよい。
【００１９】
短いスローレバーアセンブリは、デバイスを複数の状態（例えば、第１の状態及び第２の状態）の間で変換するために使用されてもよい。短いスローレバーアセンブリは、作動されたとき、セレクタアセンブリの位置をある位置から別の位置に変更してもよい。短いスローレバーアセンブリは、レバー、固定枢動点、１つ以上の移動枢動点、又はこれらの組み合わせを含んでもよい。レバーは、１つ以上の移動枢動点のうちの１つにおいて、シャトル、回路基板、起動ボタン、又はこれらの組み合わせに取り付けてもよい。レバーは、固定点の周りで枢動してもよい。レバーに力を加えると、レバーは、回路基板、シャトル、起動ボタン、又はこれらの組み合わせを押すか又は引く固定点の周りで枢動してもよい。短いスローレバーアセンブリは、起動ボタン及び回路基板を、位置合わせするか又は位置合わせしないように移動してもよい。短いスローレバーアセンブリは、回路基板、シャトル、１つ以上の起動ボタン、又はこれらの組み合わせを相互に対して移動することによって、セレクタアセンブリを移動し、デバイスをある状態から別の状態に変換してもよい。
【００２０】
ラックアンドピニオンアセンブリは、デバイスを第１の状態と第２の状態との間で変換するために使用されてもよい。ラックアンドピニオンアセンブリは、セレクタアセンブリの位置をある位置から別の位置に変更することを補助してもよい。ラックアンドピニオンアセンブリは、ピニオンギヤと１つ以上のラックギヤとを含んでもよい。ラックアンドピニオンアセンブリは、起動ボタン、シャトル、回路基板、又はこれらの組み合わせに接続された１つ以上のラックギヤと連通してピニオンギヤを回転させることによって、セレクタアセンブリを移動させてもよい。アセンブリが回転されたとき、ピニオンギヤの歯は、回路基板、起動ボタン、シャトル、又はこれらの組み合わせに接続され得るラックの歯と絡み合い、回路基板及び起動ボタンを相互に位置合わせするか又は位置合わせしないように移動させる。
【００２１】
１つ以上の起動ボタンは、機能素子を起動又は停止するように機能してもよい。１つ以上の起動ボタンは、１つ以上の回路基板スイッチを作動し、１つ以上の回路基板スイッチ、又はこれらの両方と位置合わせしてもよい。１つ以上の起動ボタンは、複数の起動ボタンであってもよい。１つ以上の起動ボタンは、第１の起動ボタン、第２の起動ボタン、第３の起動ボタン、第４の起動ボタン、又はそれ以上の起動ボタンであってもよい。好ましくは、各作動ボタンは、外科用デバイスによって複数の機能が提供され得るように、１つ以上の回路基板スイッチを作動してもよい。１つ以上の起動ボタンは、回路基板スイッチ（例えば、ドーム又は膜）に接触して（例えば、直接接触又は間接接触によって）、機能素子のうちの１つ以上を始動してもよい。１つ以上の起動ボタンは、実質的に直線的に（例えば、スイッチに垂直に）移動してもよい。１つ以上の起動ボタンの各々は、異なる機能を提供し、異なる機能素子を制御し、同じ機能素子を介して複数の機能を提供し、又はこれらの組み合わせを提供してもよい。１つ以上の起動ボタンは、外科用デバイスの本体、シャトル、又はこれらの両方に位置してもよい。起動ボタンは、押し下げられると、回路基板スイッチを作動させ、結果として、外科用デバイスの１つ以上の機能素子が起動される。回路基板スイッチは、起動ボタンが押し下げられたときに作動され、これによって、回路を完成させ、１つ以上の機能素子に電力を供給する。外科用デバイスには１つ以上の起動ボタンが存在してもよい。好ましくは、複数の起動ボタンが存在する。好ましくは、１つ以上の起動ボタンは、複数の位置を有してもよい。例えば、１つ以上の起動ボタンの各々は、第１の位置と第２の位置との間で移動させられてもよい。１つ以上の起動ボタンは、デバイスの長手方向軸に沿って長手方向に移動可能であり、デバイスの２次元（例えば、長手方向軸にほぼ垂直な方向）に沿って横方向に移動可能であり、回転軸の周りで回転可能に移動可能であり、又はこれらの組み合わせで移動可能であってもよい。好ましくは、１つ以上の起動ボタンは、長手方向軸の周りで移動することになる。１つ以上の起動ボタンは、固定されていてもよい。１つ以上の起動ボタンは、本体、シャトル、回路基板、又はこれらの組み合わせに対して固定されていてもよい。１つ以上の起動ボタンは、剛性素子、非導電性素子、又はこれらの両方であってもよい。１つ以上の起動ボタンは、本体内のガイドによる運動から拘束されてもよい。回路基板又は回路基板スイッチ（すなわち、電気外科用スイッチ）と位置合わせされたときの１つ以上の起動ボタンは、押し下げられると、回路基板又は回路基板スイッチと接触し得、１つ以上の機能素子を起動する。
【００２２】
回路基板は、１つ以上の機能素子を起動又は停止にするように機能する。回路基板は、１つ以上のユーザ入力を受け取り、外科用デバイスの１つ以上の機能素子を制御するように機能する。外科用デバイス内に１つ以上の回路基板が存在してもよい。回路基板は、表面実装回路、スルーホール回路、又はこれらの両方を有してもよい。好ましくは、回路基板は、表面実装回路を有する。回路基板は、表面上に実装又は載置される構成要素を有してもよい。例えば、回路基板スイッチを含む回路構成部品の全てが、回路基板の上面に実装されて、回路基板がデバイスの実装面に平坦に実装され得ることを可能にする。回路基板は、スルーホール構造を有してもよい。スルーホール構造は、ワイヤリード線を有する構成要素を回路基板の孔に嵌合させる。１つ以上の回路基板が存在する場合、回路基板は相互に対して移動可能である。例えば、異なる機能が起動されるように、１つの回路基板が、別の回路基板の上又は下に移動させられてもよい。１つの回路基板は移動可能であり、１つの回路基板は固定されていてもよい。両方の回路基板は、移動可能であってもよい。１つ以上の起動ボタンの各々は、異なる機能を提供し、異なる機能素子を制御し、同じ機能素子を介して複数の機能を提供し、又はこれらの組み合わせを提供してもよい。１つ以上の回路基板は、外科用デバイスの本体の上又は内部、シャトルの上又は内部、又はこれらの両方に位置してもよい。１つ以上の回路基板は、外科用デバイスの機能素子を起動するために使用される。１つ以上の回路基板は、１つ以上の起動ボタンと相互作用する回路基板当たり少なくとも１つのスイッチを有する。回路基板スイッチは、表面実装スイッチであってもよい。回路基板スイッチが押し下げられた起動ボタンによって作動されたとき、回路基板スイッチは、回路基板の回路を閉じ、外科用デバイスの機能素子を有効化する。外科用デバイス上に複数の回路基板が存在してもよい。外科用デバイスは、複数の回路基板を含んでもよい。例えば、外科用デバイスは、第１の回路基板と第２の回路基板とを有する。第１の回路基板は、起動されたときに、第１の機能素子及び第２の回路基板を有効化することにより、起動されたときに、第２の機能素子を有効化する。外科用デバイスは、２つの回路基板の間を移動し、第１の位置にあるときは第１の回路基板と、第２の位置にあるときは第２の回路基板と位置合わせする１つの起動ボタンを有してもよい。第１の位置において、第２の回路は、起動ボタンと位置合わせされない、第２の位置において、第１の回路基板は、起動ボタンと位置合わせされない。好ましくは、１つ以上の回路基板は、複数の位置を有してもよい。例えば、１つ以上の回路基板の各々は、第１の位置と第２の位置との間で移動させられてもよい。１つ以上の回路基板は、デバイスの長手方向軸に沿って長手方向に移動可能であり、デバイスの２次元（例えば、長手方向軸に実質的に垂直）に沿って横方向に移動可能であり、回転軸（長手方向軸に平行な軸）の周りで回転可能に移動可能であり、又はこれらの組み合わせで移動可能であってもよい。好ましくは、１つ以上の回路基板は、長手方向軸の周りで移動することになる。１つ以上の回路基板は、固定されていてもよい。１つ以上の回路基板は、本体、シャトル、起動ボタン、又はこれらの組み合わせに対して固定されていてもよい。回路基板上に複数の回路基板スイッチが存在してもよい。例えば、同一の回路基板（例えば、第１の回路基板スイッチ及び第２の回路基板スイッチ）上に位置する２つの回路基板スイッチが存在してもよい。例えば、第１の回路基板と第２の回路基板との両方が、第１の回路基板スイッチと第２の回路基板のスイッチを含んでもよい。第１の回路基板スイッチが押し下げられると、第１の機能が実行され、第２の回路基板スイッチが押し下げられると、第２の機能が実行される。回路基板は、１つ以上のスイッチを含んでもよい。
【００２３】
回路基板スイッチは、回路基板及び１つ以上の起動ボタンと相互作用することによって、外科用デバイスの機能素子の起動を有効化する。回路基板の各々は、１つ以上のスイッチ、及び好ましくは複数のスイッチを含んでもよい。１つ以上のスイッチは、第１のスイッチ、第２のスイッチ、第３のスイッチ、第４のスイッチ、第５のスイッチ、又はそれ以上のスイッチであってもよい。デバイスは、ボタンと同じ数のスイッチを含んでもよい。例えば、デバイスは、２つのボタンと２つのスイッチとを含んでもよい。デバイスは、異なる数のボタンとスイッチとを含んでもよい。例えば、デバイスは、３つのスイッチと１つのボタンとを含んでもよい。別の例では、デバイスは、２つのボタンと３つのスイッチとを含んでもよい。１つ以上の回路基板スイッチは、平坦、凸面、凹面、ドームスイッチ、膜スイッチ、電気スイッチ、容量センサ、圧力センサ、又はこれらの組み合わせであってもよい。好ましくは、１つ以上の回路基板スイッチは、ドームスイッチであってもよい。１つ以上の回路基板スイッチは、１つ以上の起動ボタンが回路基板スイッチと位置合わせされると、１つ以上の起動ボタンと相互作用し、結果として、１つ以上の起動ボタンが押し下げられると、ボタンが１つ以上の回路基板スイッチと接触及び係合して回路を完成させて、外科用デバイスの機能素子を有効化する。回路基板スイッチは、接触されることなく起動されてもよい。例えば、起動ボタンが押し下げられると、回路基板スイッチをトリガするフィールドが作成され得、結果として、機能が起動される。１つ以上の回路基板スイッチ及び１つ以上の起動ボタンは、セレクタアセンブリの位置を変更することによって、位置合わせされるようになる。
【００２４】
外科用デバイスの状態（例えば、電気的状態又は機械的状態）は、機能素子が起動されるように変更可能である。外科用デバイスは、少なくとも２つの状態を有する。状態の各々は、１つ以上の異なる機能を提供する。例えば、第１の状態は鉗子であり、双極治療電流を提供し、第２の状態は切断を提供し得るプローブであり、単極治療電流を提供する。外科用デバイスは、セレクタアセンブリが第１の位置にあるときに第１の状態を生成する。セレクタアセンブリが第１の位置にあるとき、少なくとも１つの回路基板スイッチが、起動ボタンのうちの少なくとも１つと位置合わせされ、結果として、起動ボタンが係合されると、起動ボタンは、回路基板上の回路基板スイッチに接触し、回路を完成させ、第１の機能を有効化する。
【００２５】
第２の状態は、外科用デバイス（例えば、機械的又は電気的）を２次形態に変更して、外科用デバイスの第２の素子が使用され得ることを可能にする。第２の状態は、セレクタアセンブリが第２の位置にあるときに生成される。第２の状態において、セレクタアセンブリは、セレクタアセンブリが１つ以上の回路基板又は１つ以上の起動ボタンのいずれかを移動させる第２の位置に前進する。回路基板又は起動ボタンが移動させられると、起動ボタン及び回路基板スイッチが位置合わせされないか又は位置合わせされ直すため、以前に有効であった機能にアクセスできなくなる。第２の状態において、１つ以上の起動ボタンが１つ以上の回路基板スイッチと位置合わせされなくてもよく、結果として、位置合わせされない起動ボタンが効果的に無効化される。第２の状態において、セレクタアセンブリが第２の位置にあると、起動ボタンと回路基板上の回路基板スイッチとが位置合わせされなくてもよく、結果として、起動ボタンが押し下げられると、ボタンは回路基板スイッチに接触せず、１つ以上の機能素子を有効化しない。外科用デバイスの第２の状態は、第１の状態において起動された機能素子とは異なる機能素子が起動されるように、起動ボタンのうちの１つを回路基板スイッチの１つに位置合わせし直してもよい。第２の状態において、シャトルが第２の位置にあると、第１の状態の位置合わせとは異なり、起動ボタンのうちの少なくとも１つが別の回路基板スイッチと位置合わせされ、結果として、起動ボタンが押し下げられると、ボタンは回路基板スイッチと接触して、外科用デバイスの第２の機能素子を有効化する。例えば、第１の機能素子が治療電流を生成する場合、第２の機能素子は、異なる治療電流であってもよい。外科用デバイスの第２の状態は、非動力素子であってもよい。
【００２６】
１つ以上の機能素子は、外科用デバイスが外科処置を行うために使用され得るように、外科用デバイスの一体部分又は外科用デバイスに追加され得る部分である。外科用デバイスは少なくとも１つの機能素子を有する。機能素子は、回路が１つ以上の起動ボタンを押し下げることによって完成されたときに、作動されてもよい。好ましくは、外科用デバイスは、１つ以上の機能素子を有する。例えば、外科用デバイスは、電気外科用鉗子であってもよく、第１の状態において電気外科用鉗子が治療電流を生成し、第２の状態において外科用デバイスが非電気鉗子として機能する。好ましくは、外科用デバイスは、複数の機能素子（例えば、３つ以上、４つ以上、又は更に５つ以上）を有する。機能素子は、電気式、電動式、超音波式、機械式、又はこれらの組み合わせであってもよい。
【００２７】
機能素子が電気素子である場合、機能素子は、外科処置のうちの１つ以上の部分を実行するために電気を使用する。電気素子は、電気を使用して動作する機能素子である。電気素子は、電極、電気モータ、超音波トランスデューサ、又はこれらの組み合わせであってもよい。第１の電気素子はモータであってもよく、第２の電気素子は電極であってもよい。第２の電気素子は、電極、第２の治療電流、モータ、超音波トランスデューサ、又はこれらの組み合わせであってもよい。好ましくは、第２の電気素子は、少なくとも第２の電気素子を通る第２の治療電流である。モータは、起動ボタンが第１の位置にあるときに動作されてもよく、電極は、起動ボタンが第２の位置にあるときに起動されてもよい。外科用デバイスは、少なくとも１つの電気素子を有してもよい。外科用デバイスは、少なくとも２つの電気素子を有してもよい。外科用デバイスは、複数の電気素子を有してもよい。
【００２８】
外科用デバイスの電気機能素子は、１つ以上の電極を含んでもよい。電極は、起動時に外科用デバイスを介して電気を伝導する。電極は、治療電流を伝導してもよい。治療電流は、単極電流、双極電流、又はこれらの組み合わせであってもよい。治療電流は、手術中に切断、焼灼、凝固、又はこれらの組み合わせに使用されてもよい。電極は、モータを作動させるために使用される治療電流を伝導してもよい。
【００２９】
外科用デバイスの機能素子は、モータであってもよい。モータは、外科用デバイスの構成要素を移動させるように機能する。モータは、電気的に動力を供給されるか、空気圧で動力を供給されるか、油圧で動力を供給されるか、又はこれらの組み合わせであってもよい。モータは、切削、研磨、挽き、穿孔、又はこれらの組み合わせに使用されてもよい。例えば、外科用デバイスの電動機能素子は、固定された外刃及び回転する内刃を有するデブリーダであってもよく、又は電動機能素子は、灌注若しくは吸引などの第２の機能素子であってもよい。第１の機能状態において、デブリーダが作動されてもよく、第２の機能状態において、灌注又は吸引素子が流体ラインに衝突するソレノイド駆動弁の開度によって作動されてもよい。例えば、第１の状態にあるデバイスは、目標領域を切断するデブリーダ機能を作動させてもよく、第２の状態にあるデバイスは、目標領域から破片及び液体を除去するために真空源を作動させてもよく、第３の状態にあるデバイスは、目標領域に生理食塩水を提供する灌注源を作動させてもよい。真空及び灌注は、既存の供給源から得られ、ソレノイドの起動によって作動されてもよい。別の例では、第１の状態にあるデバイスは、デブリーダ機能を起動し、第２の状態にあるデバイスは、デブリーダモータを起動せずに双極凝固機能を起動する。
【００３０】
外科用デバイスの機能素子は、超音波構成要素であってもよい。超音波機能素子は、目標領域の特定、切断、凝固、又はこれらの組み合わせに使用されてもよい。超音波素子は、電気エネルギーを組織に印加される機械的振動に変換することによって、切断しかつ凝固させることが好ましい。超音波機能は、単極機能、双極機能、又はこれらの両方と組み合わされ得る。例えば、第１の状態にあるデバイスは、目標領域を切断するために超音波エネルギーを生成するように作動され、第２の状態にあるデバイスは、目標領域を凝固させるために双極療法電流を作動させてもよい。更なる例において、第１の状態にあるデバイスは、超音波エネルギーを目標領域に送信し、第２の状態にあるデバイスは、超音波エネルギーと双極エネルギーとの両方を送信して目標領域を同時に切断しかつ凝固させる。
【００３１】
外科用デバイスの機能素子は、機械デバイスであってもよい。機械機能デバイスは、実質的に電気又は他の電源を有していなくてもよい。機械素子は、外科用デバイスを使用して、切断、把持、検査、挽き、打撃、又はこれらの組み合わせを行ってもよい。
【００３２】
外科用デバイスは、組み合わせデバイスであってもよい。組み合わせデバイスは、ハンドセットを切り替えることなく複数の機能を実行することができるツールを作るために、２つ以上の構造素子を１つのデバイスに組み込む。
【００３３】
図１は、電気外科用デバイス２として示される外科用デバイス１の一例の斜視図を示す。電気外科用デバイス２は、遠位端１４と近位端１６とを有する本体５を有する鉗子４として示される。遠位端１４は、その間にブレード電極８を有する一対の作業アーム６を含む。ブレード電極８は、シャトル２０が第２の位置２４に前方に（すなわち、長手方向軸１８に沿って）移動させられることによって、第１の状態１０に前進させられる。第２の位置２４において、第１の起動ボタン２６と第２の起動ボタン２８との両方が示される。
【００３４】
図２は、第１の位置２２にあるシャトル２０（長手方向軸１８に沿った）と、ブレード電極８が一対の作業アーム６の間に引き込まれるように第２の状態１２にあるブレード電極８と、を有する電気外科用デバイス２の斜視図を示す。シャトル２０が第１の位置２２にあるとき、第１の起動ボタン２６は露出される。
【００３５】
図３は、シャトル２０が第１の位置２２にある、電気外科用デバイス２の斜視図を示す。第１の位置２２において、第１の起動ボタン２６及び第２の起動ボタン２８は露出され、ブレード電極８は、第２の状態１２が形成されるように作業アーム６の間に引き込まれる。
【００３６】
図４は、シャトル２０が第２の位置２４にある電気外科用デバイス２の斜視図を示す。示されるように、ブレード電極８に電力を供給するために、第１の起動ボタン２６と第２の起動ボタン２８との両方が露出されている。ブレード電極８は、ブレード電極８が対向する一対の作業アーム６を越えて延在するように、第１の状態１０に前進する。
【００３７】
図５は、接続領域５０において回路基板４０に接続されたシャトル２０を含むセレクタアセンブリ３８を示す。プリント回路基板４０は、複数のスイッチ（例えば、第１の回路基板スイッチ４２及び第２の回路基板スイッチ４４）を含む。示されるように、第１の起動ボタン２６は、第１の電気外科用スイッチ４２と位置合わせされ、第２の起動ボタン２８は、第２の電気外科用スイッチ４４と位置合わせされ、結果として、第１の起動ボタン２６又は第２の起動ボタン２８が方向５２に作動されると、接触が、第１の電気外科用スイッチ４２及び第２の電気外科用スイッチ４４でそれぞれ生成される。第３の電気外科用スイッチ４６は、起動ボタンと位置合わせされない。
【００３８】
図６は、第３の回路基板スイッチ４６が第１の起動ボタン２６と位置合わせされるように、方向４８に移動させられるシャトル２０と回路基板４０とを含み、結果として、第１の起動ボタン２６が第３の回路基板スイッチ４６に接触するように方向５２に移動させられると、電気モードが起動される、セレクタアセンブリ３８を示す。シャトル２０及び回路基板４０は、接続領域５０において相互に接続され、かつ共に移動する。シャトル２０が位置１  ２２から第２の位置２４に移動させられると、第２の起動ボタン２８は覆われ、かつ位置合わせされず、結果として、起動ボタン２８が作動された場合、いかなる回路基板スイッチにも接触しない。第１の回路基板４２スイッチ及び第２の回路基板スイッチ４４は、全ての起動ボタン２６、２８と位置合わせされない。ブレード電極（図示せず）は引き込まれる。
【００３９】
図７は、シャトル２０と起動ボタン２６、２８とを含むセレクタアセンブリ３８を示す。回路基板４０は、複数のスイッチ（例えば、第１の電気外科用スイッチ４２及び第２の電気外科用スイッチ４４）を含む。示されるように、第１の起動ボタン２６は、第１の電気外科用スイッチ４２と位置合わせされ、第２の起動ボタン２８は、第２の電気外科用スイッチ４４と位置合わせされ、結果として、第１の起動ボタン２６又は第２の起動ボタン２８が方向５２に作動されると、接触が、第１の電気外科用スイッチ４２及び第２の電気外科用スイッチ４４でそれぞれ生成される。
【００４０】
図８は、第２の起動ボタン２８が第１の電気外科用スイッチ４２と位置合わせされるように、シャトル２０及び起動ボタン２６、２８が方向６４に移動させられ、結果として、第２の起動ボタン２８が第１の起動スイッチ４２に接触するように方向５２に移動させられて、電気モードが起動される、を含むセレクタアセンブリ３８を示す。第１の起動ボタン２６は、回路基板スイッチ４２、４４と相互作用しないように配置される。第２の回路４４基板スイッチは、起動ボタン２６、２８によって作動されないように配置される。シャトル２０は、起動ボタン２６、２８を含み、方向６４に共に移動してデバイスを位置２  ２４に配置する。
【００４１】
図９は、端子５８領域を有するトレース５４を含む回路基板４０を有する第１の電気外科用スイッチ４２及び第２の電気外科用スイッチ４４を示す。ドーム５６は、起動デバイス７０がドーム５６を方向５２に作動すると信号が送信されるように、トレース５４に接触し、かつトレース５４を越えて延在している。
【００４２】
図１０は、スイッチ７２の上面図を示す。スイッチ７２は、第１の起動ボタン２６又は第２の起動ボタン２８であり得るボタンを含む。
【００４３】
図１１Ａは、オフ位置のときのスイッチ７２の側面図を示す。オフ位置において、ドーム５６は、第１の起動ボタン２６／第２の起動ボタン２８に接続された起動デバイス７０に向かって上方に延在している。
【００４４】
図１１Ｂは、起動位置にあるスイッチ７２を示す。起動位置において、ドーム５６は、第１の起動ボタン２６／第２の起動ボタン２８によってドームに押し付けられる起動デバイス７０によって作動される。
【００４５】
図１２Ａは、回路基板４０上に位置する複数の回路基板スイッチ４２、４４、４６と位置合わせされた複数の起動ボタン２６、２８、３０を有し、これにより、１つ以上の起動ボタン２６、２８、３０が方向５２に押し下げられると、１つ以上の回路基板スイッチ４２、４４、４６がそれぞれ作動される、キーボード６２としてのセレクタアセンブリ３８を示す。ボタン２６、２８、３０は、作動デバイス７０に接続され、したがって、ボタン２６、２８、３０が５２方向に押し下げられると、作動デバイス７０は、それぞれの回路基板スイッチ４２、４４、４６を押し下げる。
【００４６】
図１２Ｂは、キーボード６２として示されるセレクタアセンブリ３８を示す。キーボード６２の回路基板４０は、第１の位置２２から第２の位置２４まで４８方向に移動するように示される。第２の位置２４において、回路基板スイッチ４２、４４、４６の位置合わせは、第１の位置２２に対して変更される。示されるように、起動ボタン２６は回路基板スイッチ４４と位置合わせされ、起動ボタン２８は回路基板スイッチ４６と位置合わせされ、起動ボタン３０は位置合わせされない（すなわち回路基板スイッチと位置合わせされない）。したがって、起動ボタン２６及び２８が５２方向に押し下げられると、作動デバイス７０は、回路基板スイッチ４４及び４６に接触する。同様に、回路基板スイッチ４２は、位置合わせされず、かつ起動ボタンと位置合わせされず、したがってこの機能は実質的に作動可能ではない。
【００４７】
図１３Ａは、位置１におけるセレクタアセンブリ３８を示す。セレクタアセンブリ３８は、板バネ機構９６を介して回路基板４０に接続される。位置１において、起動ボタン２６、２８がシャトル２０上に保持され、かつ回路基板スイッチ４２、４４と位置合わせされる。起動ボタン２６、２８が５２方向に押し下げられると、起動ボタン２６、２８は、回路基板スイッチ４２、４４にそれぞれ接触することになる。起動ボタンは、回路基板スイッチ４６と位置合わせされない。セレクタアセンブリは、板バネ機構９６と連通する位置変更ボタン７４を含む。板バネ機構９６は、トラック１１０を有するアクチュエータブロック９８と、プランジャ１０８と、板バネ１０４とを含む。アクチュエータブロック９８は、領域１０６において回路基板に取り付けられる。アクチュエータブロック９８のトラック１１０は、上部位置１００と側部位置１０２とを有する。プランジャ１０８は、位置変更ボタン７４に接続され、かつアクチュエータブロック１００、１０２の位置に嵌合され、これにより、位置変更ボタン７４が方向５２に作用すると、プランジャ１０８は、上部位置１００から側部位置１０２に移動する。プランジャ１０８が移動すると、板バネ１０４は、１０６において回路基板４０に接続されたアクチュエータブロック９８を押して、デバイスを位置２に変換することができる。アクチュエータブロックが位置１から位置２に移動させられると、回路基板４０は起動ボタン２６、２８に対して移動させられる。デバイスを位置１に戻すには、位置変更ボタンを作動させ、プランジャをアクチュエータブロックのトラックの周りで時計回りに移動させ、これによりプランジャが位置１に戻るようにすることができる。
【００４８】
図１３Ｂは、位置２  ２４におけるセレクタアセンブリ３８を示す。セレクタアセンブリ３８は、板バネ機構９６を介して回路基板４０に接続される。板バネ機構９６は、回路基板４０を方向４８に移動させ、シャトル２０は、起動ボタン２６を保持して回路基板スイッチ４６と位置合わせする。第２の起動ボタン２８は、回路基板スイッチ４２、４４、４６の全てと位置合わせされない。第１の回路基板スイッチ４２及び第２の回路基板スイッチ４４は、いずれの起動ボタンとも位置合わせされない。起動ボタン２６が方向５２に押し下げられると、起動ボタン２６は回路基板スイッチ４６に接触する。板バネアセンブリ９６は、位置変更ボタン７４を方向５２に作動させることによって、デバイスを位置１  ２２から位置２  ２４に変換する。位置変更ボタンは、プランジャ１０８を押し下げ、板バネ機構９６に板バネ１０４において張力を解放させ、これにより、アクチュエータブロック９８を押すことによって回路基板４０を横方向に伸長及び移動させ、アクチュエータブロック９８は回路基板４０に１０６において接続され、デバイスを第２の位置２４に配置する。位置変更ボタン７４が押し下げられると、プランジャ１０８は、アクチュエータブロック９８のトラック１１０に沿って上部位置１００から側部位置１０２に移動する。回路基板４０は、起動ボタン２６、２８に対して移動する。起動ボタン２６、２８は、回路基板４０に対して固定されている。
【００４９】
図１４は、短いスローレバーアセンブリ８６を介して回路基板４０に接続されたセレクタアセンブリ３８を示し、シャトル２０は、回路基板スイッチ４２、４４と位置合わせされた起動ボタン２６、２８を保持し、結果として、起動ボタン２６、２８が方向５２に押し下げられると、起動ボタン２６、２８は、回路基板スイッチ４２、４４にそれぞれ接触することになる。この位置では、第３の回路基板スイッチ４６は、起動ボタン２６、２８のいずれとも位置合わせされない。短いスローレバーアセンブリ８６は、レバー９２と、レバーが周りで回転する固定枢動点８８と、それぞれ回路基板及びシャトルにおける移動枢動点９０と、を含む。短いスローレバーアセンブリ８６は、９４方向に移動させられると、シャトル２０を横方向に移動させて、起動ボタン２６及び２８を６４方向に、かつ回路基板４０を４８方向に保持することによって、デバイスを位置間で変換する。シャトル２０及び回路基板４０は、レバー９２によって移動枢動点９０において接続され、これにより短いスローレバーアセンブリ８６に作用すると、レバー９２は固定点８８の周りで枢動し、シャトル２０を移動させ、これにより起動ボタン２６、２８、及び回路基板４０を、位置合わせされるか又は位置合わせされないように保持する。
【００５０】
図１５は、セレクタアセンブリ３８が、ラックアンドピニオンアセンブリ８０を介して回路基板４０及びシャトル２０に接続されていることを示す。ラックアンドピニオンアセンブリ８０は、起動ボタン２６及び２８を保持するシャトル２０が回路基板４０に対して移動することを可能にすることによって、デバイスを第１の位置と第２の位置との間で変換するのを助ける。ラックアンドピニオンアセンブリ８０は、各々が回路基板４０及びシャトル２０に取り付けられたピニオンギヤ８２と一対のラックギヤ８４とを含む。ピニオンギヤ８２が回転すると、ラックギヤ８４はシャトル２０を６４方向に、かつ回路基板４０を４８方向に横方向に移動させ、デバイスを第２の位置に配置し、起動ボタン２６、２８を回路基板スイッチ４２、４４、４６に位置合わせするか又は位置合わせしない。示される位置では、起動ボタン２６及び２８は、回路基板スイッチ４２及び４４と位置合わせされ、これにより起動ボタンが５２方向に押し下げられると、起動ボタン２６は回路基板スイッチ４２に接触し、起動ボタン２８は回路基板スイッチ４４に接触する。回路基板スイッチ４６は、いかなる起動ボタンとも位置合わせされない。ラックアンドピニオンは、回転運動を長手方向運動又は横方向運動に変換する。
【００５１】
本明細書に列挙するあらゆる数値は、少なくとも２つの単位の分離が任意のより低い値と任意のより高い値との間にあることを条件として、１つの単位の増分で低い値から高い値までの全ての値を含む。一例として、構成要素の量、又は例えば温度、圧力、時間などのプロセス変数の値が、例えば１〜９０、好ましくは２０〜８０、より好ましくは３０〜７０であると規定されている場合、１５〜８５、２２〜６８、４３〜５１、３０〜３２などの値が本明細書において明らかに列挙されているものとする。１未満の値については、１つの単位は、適宜、０．０００１、０．００１、０．０１、又は０．１とみなされる。これらは具体的に意図されるものの単なる例であり、列挙する最低値と最高値との間の数値の全ての可能な組み合わせが、同様に本明細書において明らかに示されているものとみなされるべきである。
【００５２】
特記がない限り、全ての範囲は、両方の終点と、終点間の全ての数とを含む。範囲に関連した「約」又は「およそ」の使用は、範囲の両端に適用される。したがって、「約２０〜３０」は、少なくとも指定の終点を含む「約２０〜約３０」を対象とするものとする。
【００５３】
特許出願及び特許出願公開を含む全ての論文及び参考文献の開示を、あらゆる目的で参照により組み込む。組み合わせを説明する「〜から本質的になる」という用語は、特定された要素、成分、構成要素、又は工程と、組み合わせの基本的及び新規な特性に実質的に影響を与えないような他の要素、成分、構成要素、又は工程とを含むものとする。本明細書における要素、成分、構成要素、又は工程の組み合わせを説明する「〜を備える」又は「〜を含む」という用語の使用は、要素、成分、構成要素、又は工程から本質的になる実施形態も企図している。本明細書において「〜してもよい」という用語を使用することによって、含まれ「てもよい」あらゆる記載される属性は任意選択であるものとする。
【００５４】
複数の要素、成分、構成要素、又は工程は、単一の統合された要素、成分、構成要素、又は工程によって提供することができる。あるいは、単一の統合された要素、成分、構成要素、又は工程は、別個の複数の要素、成分、構成要素、又は工程に分割されることがある。要素、成分、構成要素、又は工程を説明する「１つの（a）」又は、「１つの（one）」という開示は、追加の要素、成分、構成要素、又は工程を除外することを意図しない。
【００５５】
上述の説明は例証であり、限定ではないことが理解される。提供した実施例以外の多くの実施形態並びに多くの適用例が、上述の説明を読むことによって当業者には明白となるであろう。したがって、本教示の範囲は、上述の説明を参照して決定されるべきではなく、その代わりに、添付の特許請求の範囲を、かかる特許請求の範囲が権利を与えられる等価物の全範囲と共に参照して決定されるべきである。特許出願及び特許出願公開を含む全ての論文及び参考文献の開示を、あらゆる目的で参照により組み込む。以下の特許請求の範囲における、本明細書に開示する主題のあらゆる態様の省略は、かかる主題を放棄するものではなく、本発明者らがかかる主題を開示する発明の主題の一部であるとみなさなかったものと考えられるべきものでもない。
【図１】
2019506206.tif 000003
【図２】
2019506206.tif 000004
【図３】
2019506206.tif 000005
【図４】
2019506206.tif 000006
【図５】
2019506206.tif 000007
【図６】
2019506206.tif 000008
【図７】
2019506206.tif 000009
【図８】
2019506206.tif 000010
【図９】
2019506206.tif 000011
【図１０】
2019506206.tif 000012
【図１１Ａ】
2019506206.tif 000013
【図１１Ｂ】
2019506206.tif 000014
【図１２Ａ】
2019506206.tif 000015
【図１２Ｂ】
2019506206.tif 000016
【図１３Ａ】
2019506206.tif 000017
【図１３Ｂ】
2019506206.tif 000018
【図１４】
2019506206.tif 000019
【図１５】
2019506206.tif 000020
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
外科用デバイスであって、
ａ．１つ以上の機能素子と、
ｂ．セレクタアセンブリであって、
ｉ．１つ以上の起動ボタン、
ｉｉ．１つ以上の回路基板スイッチ、及び
ｉｉｉ．前記１つ以上の回路基板スイッチ又は前記１つ以上の起動ボタンと連通して、前記回路基板スイッチ又は前記起動ボタンを少なくとも第１の位置と第２の位置との間で移動させ、結果として、前記回路基板スイッチ又は前記起動ボタンが相互に対して移動可能である、シャトル、を含む、セレクタアセンブリと、を備え、
前記１つ以上の機能素子は、前記１つ以上の回路基板スイッチ又は前記１つ以上の起動ボタンが前記第１の位置にあるときに、第１の機能を提供し、前記１つ以上の機能素子は、前記１つ以上の回路基板スイッチ又は前記１つ以上の起動ボタンが前記第２の位置にあるときに、第２の機能を提供する、外科用デバイス。
【請求項２】
前記外科用デバイスが、前記シャトルを前記第１の位置と前記第２の位置との間で移動させることによって、第１の電気的状態と第２の電気的状態との間で切り替えられることができ、
前記第１の電気的状態において、前記１つ以上の起動ボタンのうちの第１が前記１つ以上の回路基板スイッチのうちの第１と位置合わせされ、結果として、前記１つ以上の機能素子は、前記１つ以上の起動ボタンのうちの前記第１が選択的に作動されたときに、前記第１の機能を提供するように動作可能であり、
前記第２の電気的状態において、前記１つ以上の起動ボタンのうちの前記第１が、前記１つ以上の回路基板スイッチのうちの前記第１と位置合わせされず、結果として、前記１つ以上の機能素子は、前記１つ以上の起動ボタンのうちの前記第１が選択的に起動されたときに、前記第１の機能を提供するように動作可能でない、請求項１に記載の外科用デバイス。
【請求項３】
前記外科用デバイスが、本体を含み、前記シャトルが、前記本体に対して移動し、前記シャトルが、前記回路基板スイッチと連通し、結果として、前記シャトルが移動すると、前記回路基板スイッチが、前記本体に対して移動する、請求項１及び２のいずれかに記載の外科用デバイス。
【請求項４】
前記外科用デバイスが、本体を更に備え、前記シャトルが、前記本体に対して移動し、前記シャトルが、前記１つ以上の起動ボタンと連通し、結果として、前記シャトルが移動すると、前記１つ以上の起動ボタンが、前記本体に対して移動させられる、請求項１〜３のいずれか１項に記載の外科用デバイス。
【請求項５】
前記回路基板スイッチが、前記本体に対して固定されている、請求項１〜４のいずれか１項に記載の外科用デバイス。
【請求項６】
前記１つ以上の起動ボタンが、前記本体に対して固定されている、請求項１〜５のいずれかに記載の外科用デバイス。
【請求項７】
前記第２の電気的状態において、前記１つ以上の起動ボタンのうちの第２が、前記１つ以上の回路基板スイッチのうちの第２と位置合わせされ、結果として、前記１つ以上の機能素子は、前記１つ以上の起動ボタンのうちの前記第２が選択的に作動されたときに、前記第２の機能を提供するように動作可能であり、前記第１の電気的状態において、前記１つ以上の起動ボタンのうちの前記第２が、前記１つ以上の回路基板スイッチのうちの前記第２と位置合わせされず、結果として、前記１つ以上の機能素子は、前記１つ以上の起動ボタンのうちの前記第２が選択的に作動されたときに、前記第２の機能を提供するように動作可能でない、請求項１〜６のいずれか１項に記載の外科用デバイス。
【請求項８】
前記外科用デバイスが、前記シャトルを前記第１の位置と前記第２の位置との間で移動させることによって、第１の電気的状態と第２の電気的状態との間で切り替えられることができ、
前記第１の電気的状態において、前記１つ以上の起動ボタンのうちの第１が前記１つ以上の回路基板スイッチのうちの第１と位置合わせされ、結果として、前記１つ以上の機能素子は、前記１つ以上の起動ボタンのうちの前記第１が選択的に作動されたときに、前記第１の機能を提供するように動作可能であり、
前記第２の電気的状態において、前記１つ以上の起動ボタンのうちの前記第１が、前記１つ以上の回路基板スイッチのうちの第２と位置合わせされ、結果として、前記１つ以上の機能素子は、前記１つ以上の起動ボタンのうちの前記第１が選択的に作動されたときに、前記第２の機能を提供するように動作可能である、請求項１〜７のいずれか１項に記載の外科用デバイス。
【請求項９】
電気機械デバイスであって、
ａ．１つ以上の電気素子と、
ｂ．１つ以上の起動ボタンと、
ｃ．第１の回路基板スイッチと、
ｄ．第２の回路基板スイッチと、
ｅ．前記第１の回路基板スイッチ、前記第２の回路基板スイッチ、前記１つ以上の起動ボタン、又はこれらの組み合わせと連通するシャトルと、を備え、
前記電気機械デバイスが、第１の電気的状態と第２の電気的状態との間で切り替えられることができ、
前記シャトルが、第１の位置と第２の位置との間で移動し、前記電気外科用デバイスを前記第１の電気的状態と前記第２の電気的状態との間で変換することを補助し、
前記第１の電気的状態において、前記１つ以上の起動ボタンのうちの第１の起動ボタンが、前記第１の回路基板スイッチと位置合わせされ、結果として、前記第１の起動ボタンの作動時に、第１の電気機能が有効化され、
前記第１の電気機能が、前記１つ以上の電気素子を通る第１の治療電流であり、
前記第２の電気的状態において、前記１つ以上の起動ボタンのうちの第２の起動ボタンが、前記第２の回路基板スイッチと位置合わせされ、結果として、前記第２の起動ボタンの作動時に、第２の電気機能が有効化され、
前記電気機械デバイスが、
（Ａ）前記第１の位置において、前記第２の起動ボタンが、前記第２の回路基板スイッチと位置合わせされず、結果として、前記第２の起動ボタンの作動時に、前記第２の電気機能が有効化されないこと、
（Ｂ）前記第２の位置において、前記第１の起動ボタンが、前記第１の回路基板スイッチと位置合わせされず、結果として、前記第１の起動ボタンの作動時に、前記第１の電気機能が前記第１の起動ボタンによって有効化されないこと、並びに
（Ｃ）前記第１の起動ボタン及び前記第２の起動ボタンが、同じボタンであること、のうちの１つ以上を含む、電気機械デバイス。
【請求項１０】
前記１つ以上の電気素子が、第２の電気素子を含み、前記第２の電気機能が、前記第１の電気素子又は前記第２の電気素子を通る第２の治療電流である、請求項９に記載の電気機械デバイス。
【請求項１１】
前記シャトルが前記第１の位置にあるときに、前記第１の起動ボタンが、前記第１の回路基板スイッチに位置合わせされ、第１の治療電流を前記第１の電気素子を介して誘導し、かつ前記第２の起動ボタンが、前記１つ以上の電気素子のうちのいずれをも有効化することはなく、前記シャトルが前記第２の位置にあるときに、前記第２の起動ボタンが、前記第２の回路基板スイッチと位置合わせされ、結果として、前記第２の治療電流が前記第２の電気素子に誘導されるが、前記第１のボタンが前記１つ以上の電気素子のうちのいずれをも有効化することがない、請求項９または１０に記載の電気機械デバイス。
【請求項１２】
電気機械デバイスであって、
ａ．１つ以上の電気素子と、
ｂ．１つ以上の起動ボタンと、
ｃ．１つ以上の回路基板スイッチと、
ｄ．前記１つ以上の回路基板スイッチのうちの少なくとも１つ、前記１つ以上の起動ボタンのうちの少なくとも１つ、又はこれらの両方と連通するシャトルと、を備え、
前記電気機械デバイスが、第１の電気的状態と第２の電気的状態との間で切り替えられることができ、前記第１の電気的状態において、第１の電流は、前記１つ以上の起動ボタンのうちの第１の起動ボタンが作動されたとき、前記１つ以上の電気素子のうちの第１の電気素子に通され、前記第２の電気的状態において、前記第１の電流は、前記第１の起動ボタンが作動されたときに、前記第１の電気素子を通ることがなく、
前記シャトルが、前記電気機械デバイスに沿って第１の位置と第２の位置との間で移動し、前記電気機械デバイスを前記第１の電気的状態と前記第２の電気的状態との間で変換することを補助し、
前記第１の位置にある前記シャトルは、前記第１の起動ボタンが、前記第１の起動ボタンの作動時に前記第１の起動ボタンが前記第１の回路基板スイッチと相互作用するときに、前記１つ以上の回路基板スイッチのうちの第１の回路基板スイッチと位置合わせされるように位置決めされて、前記第１の電気的状態を有効化し、
前記第２の位置にある前記シャトルは、前記第１の起動ボタンが前記第１の回路基板スイッチと位置合わせされないように位置決めされて、前記第１の電気的状態を無効化する、電気機械デバイス。
【請求項１３】
第２の回路基板スイッチを更に備え、結果として、前記シャトルが前記第２の位置にあるときに、前記１つ以上の起動ボタンのうちの１つが、前記第２の回路基板スイッチと位置合わせされて第２の電気的状態を有効化し、前記第２の電気的状態において、前記１つ以上の起動ボタンのうちの１つが作動されたときに、第２の電流が前記１つ以上の電気素子のうちの１つに通される、請求項１２に記載の電気機械デバイス。
【請求項１４】
前記シャトルが前記第１の位置にあるとき、前記第２の回路基板スイッチが、前記１つ以上の起動ボタンと位置合わせされず、前記第２の電気的状態を無効化する、請求項１２または１３に記載の電気機械デバイス。
【請求項１５】
前記電気機械デバイスが、第２の電気素子を含み、前記第２の電気的状態において、前記第２の電流が、前記１つ以上の電気素子のうちの第２のものを通る電流である、請求項１２〜１４のいずれか１項に記載の電気機械デバイス。
【国際調査報告】
2019506206.tif 000021
2019506206.tif 000022